(57)【特許請求の範囲】
【請求項１】
表面が平たんな健常者用表示部を中央部に有し、立体形成された視覚障害者用立体表示部を一端に有し、点字によって構成された視覚障害者用点字表示部を他端に有し、弾性体により支持されるボタントップと、
前記視覚障害者用立体表示部及び前記視覚障害者用点字表示部に対応する位置に設けられる障害者用スイッチと、
高さが前記障害者用スイッチの高さより高く、前記健常者用表示部に対応する位置に設けられる健常者用スイッチと、
を具備するエレベータ用スイッチ。
【請求項２】
カゴ室と、
錘と、
前記カゴ室及び前記錘を吊りあげるロープと、
前記ロープを巻き上げる巻き上げ機と、
前記カゴ室が昇降する昇降路と、
乗場側ドアと、
表面が平たんな健常者用表示部を中央部に有し、立体形成された視覚障害者用立体表示部を一端に有し、点字によって構成された視覚障害者用点字表示部を他端に有し、弾性体により支持されるボタントップと、前記視覚障害者用立体表示部及び前記視覚障害者用点字表示部に対応する位置に設けられる障害者用スイッチと、高さが前記障害者用スイッチの高さより高く、前記健常者用表示部に対応する位置に設けられる健常者用スイッチと、を具備するエレベータ用スイッチと、
前記障害者用スイッチが押下されたと判定した場合障害者用の運行を行うように制御する制御部と、
を備えるエレベータ。
【請求項３】
各階の乗場に設置される乗場スピーカと、
カゴ室内に設置されるカゴ室内スピーカと、
をさらに備え、
前記障害者用の運行は、
（１）ドアが開いている時間を長くする、
（２）ドアの開閉スピードを遅くする、
（３）障害者用のアナウンスを乗場スピーカ又はカゴ室内スピーカから流す、
の中から少なくとも一つ選択される請求項２記載のエレベータ。
【発明の詳細な説明】
【技術分野】
【０００１】
本発明の実施形態は、エレベータ用スイッチ及びエレベータに関する。
【背景技術】
【０００２】
エレベータの利用者の中には視覚障害者及び肢体不自由者がいる。従来、これらの障害者にとっても利用しやすいエレベータが求められてきた。
【０００３】
中でも乗場呼びボタン及びカゴ室内行き先ボタンは利用頻度が高いため特に使いやすさが求められている。
【０００４】
またさらに、エレベータの利用者の中に障害者がいることを検知できれば、よりきめの細かい制御を行うことが可能となり、障害者にとって利便性が高まる。
【０００５】
この点に関し、健常者用のボタンと障害者用のボタンとを別体に備えるエレベータが提案されている。
【０００６】
しかし、この技術によってはボタンの数が２倍以上となり、エレベータの製造コストがかさむのみならず、健常者にとってはいずれのボタンを押すべきかの迷いを生じさせ易い。
【先行技術文献】
【特許文献】
【０００７】
【特許文献１】特開平３−１８５７０号公報
【発明の概要】
【発明が解決しようとする課題】
【０００８】
従って、本実施形態は障害者にとって使いやすく、利用者の中に障害者がいることを検知することにより障害者にとって利便性がある運用が可能となり、健常者にとっても使いやすいエレベータ用スイッチ及びエレベータを提供することを目的とする。
【課題を解決するための手段】
【０００９】
上記の課題を解決するために、一実施形態はカゴ室と、錘と、カゴ室及び錘を吊りあげるロープと、ロープを巻き上げる巻き上げ機と、カゴ室が昇降する昇降路と、乗場側ドアと、表面が平たんな健常者用表示部を中央部に有し、立体形成された視覚障害者用立体表示部を一端に有し、点字によって構成された視覚障害者用点字表示部を他端に有し、弾性体により支持されるボタントップと、視覚障害者用立体表示部及び視覚障害者用点字表示部に対応する位置に設けられる障害者用スイッチと、高さが障害者用スイッチの高さより高く、健常者用表示部に対応する位置に設けられる健常者用スイッチと、を具備するエレベータ用スイッチと、障害者用スイッチが押下されたと判定した場合障害者用の運行を行うように制御する制御部と、を備えるエレベータを提供する。
【図面の簡単な説明】
【００１０】
【図１】エレベータの側面図である。
【図２】エレベータの乗場側から見た各階の正面図である。
【図３】エレベータのカゴ室側ドアの正面図である。
【図４】乗場呼びボタン付近の正面図である。
【図５】乗場呼びボタンの図４におけるＡＡ線断面図である。
【図６】応用例に係る乗場呼びボタン付近の正面図である。
【図７】乗場呼びボタンの図６におけるＢＢ線断面図である。
【図８】応用例に係る乗場呼びボタンの図６におけるＢＢ線断面図である。
【図９】エレベータの構成を示すブロック図である。
【図１０】識別テーブルのデータ構成を示す図である。
【発明を実施するための形態】
【００１１】
以下、エレベータ用スイッチ及びエレベータの一実施形態について、図面を用いて詳細に説明する。
【００１２】
本実施形態のエレベータの一実施形態はカゴ室と、錘と、カゴ室及び錘を吊りあげるロープと、ロープを巻き上げる巻き上げ機と、カゴ室が昇降する昇降路と、乗場側ドアと、表面が平たんな健常者用表示部を一端に有し、表面に凹凸を有する視覚障害者用表示部を他端に具備し、弾性体により支持されるボタントップ並びに健常者用表示部に対応する位置に設けられる健常者用スイッチ並びに視覚障害者用表示部に対応する位置に設けられる障害者用スイッチを具備するエレベータ用スイッチと、障害者用スイッチが押下されたと判定した場合障害者用の運行を行うように制御する制御部と、を備える。
【００１３】
図１は、本実施形態に係るエレベータ１００の側面図である。図１に示すように、エレベータ１００は、乗客を乗せるカゴ室１０１と、錘１０３と、カゴ室１０１及び錘１０３を吊りあげるロープ１０６と、ロープ１０６を巻き上げる巻き上げ機１０２と、カゴ室１０１が昇降する昇降路１１０と、乗場側ドア１０４と、乗場側ドア１０４の下方に設置されるステップ部１０５と、エレベータの運行を制御する制御部１０７と、を備える。
【００１４】
カゴ室１０１は、カゴ室側ドア１０１Ａと、カゴ室側ドア１０１Ａの昇降路１１０側に設置される係合装置１０１Ｂと、を備える。
【００１５】
乗場側ドア１０４は、昇降路１１０側に係合装置１０１Ｂと係合する突起部１０４Ａを備える。
【００１６】
制御部１０７は、指示された行き先階までカゴ室１０１を昇降させる。行き先階にカゴ室１０１が到着すると、係合装置１０１Ｂと突起部１０４Ａとが係合している状態となる。この状態にてカゴ室側ドア１０１Ａが開閉すると乗場側ドア１０４が従動して開閉する。
【００１７】
図２は、エレベータ１００の乗場側から見た各階の正面図である。図２に示すように、エレベータ１００は、各階に乗場側ドア１０４と、乗場側横板１０４Ａと、乗場側横板１０４Ａに設置される乗場呼びボタン２０１と、音声を発生させる乗場スピーカ２１０Ａと、情報を表示する乗場表示装置３０１Ａと、を備える。
【００１８】
図３は、エレベータ１００のカゴ室側ドア１０１Ａの正面図である。図３に示すように、エレベータ１００は、カゴ室１０１にカゴ室側ドア１０１Ａと、カゴ室側横板１０４Ｂと、カゴ室側横板１０４Ｂに設置されるカゴ室内行き先ボタン２０１と、音声を発生させるカゴ室スピーカ２１０Ｂと、情報を表示するカゴ室表示装置３０１Ｂと、を備える。
【００１９】
図４は、乗場呼びボタン２０１付近の正面図である。乗場呼びボタン２０１とカゴ室内行き先ボタン２０１とは構成が等しいため、以下乗場呼びボタン２０１を例に説明する。
【００２０】
以下、乗場呼びボタン２０１とカゴ室内行き先ボタン２０１とを合わせてエレベータ用スイッチという。
【００２１】
図４に示すように、乗場呼びボタン２０１は表面に健常者用表示部２０１Ａと、視覚障害者用立体表示部２０１Ｂと、視覚障害者用点字表示部２０１Ｃと、カバー２０２と、を備える。
【００２２】
健常者用表示部２０１Ａは凹凸がなく、表面が平らである。従って、指によって押下するときに指先に違和感がない。
【００２３】
視覚障害者用立体表示部２０１Ｂは矢印乃至数字が立体的に形成される。従って、点字を理解できない視覚障害者でも適切なボタンを選択することができる。
【００２４】
視覚障害者用点字表示部２０１Ｃは点字によって行き先方向乃至数字が表示される。従って、点字を理解できる視覚障害者は表示内容を明確に認識できる。
【００２５】
健常者用表示部２０１Ａは図５に示すボタントップ２０１Ｅの一方の端部に、視覚障害者用立体表示部２０１Ｂ及び視覚障害者用点字表示部２０１Ｃはボタントップ２０１Ｅの他方の端部に設けられる。
【００２６】
以下、視覚障害者用立体表示部２０１Ｂと視覚障害者用点字表示部２０１Ｃとを合わせて視覚障害者用表示部２０１Ｄという。
【００２７】
図５は、乗場呼びボタン２０１の図４におけるＡＡ線断面図である。図５に示すように、乗場呼びボタン２０１は、健常者用表示部２０１Ａと視覚障害者用表示部２０１Ｄとを表面に具備するボタントップ２０１Ｅと、ボタントップ２０１Ｅが押下されたときにボタントップ２０１Ｅを収納するケーシング２０３と、ボタントップ２０１Ｅをケーシング２０３の外側に付勢する弾性体２０４と、ケーシング２０３の健常者用表示部２０１Ａに対応する位置に設けられる健常者用スイッチ２０５Ａと、ケーシング２０３の視覚障害者用表示部２０１Ｄに対応する位置に設けられる障害者用スイッチ２０５Ｂと、を備える。
【００２８】
健常者用表示部２０１Ａが押下されると健常者用スイッチ２０５ＡがＯＮとなる。この時、障害者用スイッチ２０５ＢはＯＦＦとなる。一方、視覚障害者用表示部２０１Ｄが押下されると障害者用スイッチ２０５ＢがＯＮとなる。この時、健常者用スイッチ２０５ＡはＯＦＦとなる。従って、いずれの表示部が押下されたかを識別することができる。
【００２９】
図６は、応用例に係る乗場呼びボタン２０１付近の正面図である。乗場呼びボタン２０１とカゴ室内行き先ボタン２０１とは構成が等しいため、以下乗場呼びボタン２０１を例に説明する。
【００３０】
図６に示すように、乗場呼びボタン２０１は表面に健常者用表示部２０１Ａと、視覚障害者用立体表示部２０１Ｂと、視覚障害者用点字表示部２０１Ｃと、カバー２０２と、を備える。
【００３１】
健常者用表示部２０１Ａは凹凸がなく、表面が平らである。従って、指によって押下するときに指先に違和感がない。
【００３２】
視覚障害者用立体表示部２０１Ｂは矢印乃至数字が立体的に形成される。従って、点字を理解できない視覚障害者でも適切なボタンを選択することができる。
【００３３】
視覚障害者用点字表示部２０１Ｃは点字によって行き先方向乃至数字が表示される。従って、点字を理解できる視覚障害者は表示内容を明確に認識できる。
【００３４】
健常者用表示部２０１Ａはボタントップ２０１Ｅの中央部に、視覚障害者用立体表示部２０１Ｂはボタントップ２０１Ｅの一方の端部に、視覚障害者用点字表示部２０１Ｃはボタントップ２０１Ｅの他方の端部に設けられる。
【００３５】
以下、視覚障害者用立体表示部２０１Ｂと視覚障害者用点字表示部２０１Ｃとを合わせて視覚障害者用表示部２０１Ｄという。
【００３６】
図７は、乗場呼びボタン２０１の図６におけるＢＢ線断面図である。図７に示すように、乗場呼びボタン２０１は、健常者用表示部２０１Ａと視覚障害者用表示部２０１Ｄとを表面に具備するボタントップ２０１Ｅと、ボタントップ２０１Ｅが押下されたときにボタントップ２０１Ｅを収納するケーシング２０３と、ボタントップ２０１Ｅをケーシング２０３の外側に付勢する弾性体２０４と、ケーシング２０３の健常者用表示部２０１Ａに対応する位置に設けられる健常者用スイッチ２０５Ａと、ケーシング２０３の視覚障害者用表示部２０１Ｄに対応する位置に設けられる障害者用スイッチ２０５Ｂと、を備える。
【００３７】
すなわち、健常者用スイッチ２０５Ａはケーシング２０３の中央部分に、障害者用スイッチ２０５Ｂはケーシング２０３の両端部に一つずつ設けられる。
【００３８】
健常者用表示部２０１Ａが押下されると健常者用スイッチ２０５ＡがＯＮとなる。この時、障害者用スイッチ２０５ＢもＯＮとなる。一方、視覚障害者用表示部２０１Ｄが押下されると障害者用スイッチ２０５ＢがＯＮとなる。この時、健常者用スイッチ２０５ＡはＯＦＦとなる。従って、いずれの表示部が押下されたかを識別することができる。
【００３９】
図８は、応用例に係る乗場呼びボタン２０１の図６におけるＢＢ線断面図である。図８に示すように、乗場呼びボタン２０１は、健常者用スイッチ２０５Ａとケーシング２０３との間にスペーサー２０５Ａ１を設けてもよい。このスペーサー２０５Ａ１によって健常者用スイッチ２０５Ａの高さが高くなる。
【００４０】
この場合、健常者用表示部２０１Ａが押下されると健常者用スイッチ２０５ＡがＯＮとなる。この時、障害者用スイッチ２０５ＢはＯＦＦとなる。一方、視覚障害者用表示部２０１Ｄが押下されると障害者用スイッチ２０５ＢがＯＮとなる。この時、健常者用スイッチ２０５ＡはＯＦＦとなる。従って、いずれの表示部が押下されたかを識別することができる。
【００４１】
図９は、エレベータ１００の構成を示すブロック図である。図９に示すように、エレベータ１００は、制御部１０７であるＣＰＵ８０１と、記憶装置であるメモリ８０２と、巻き上げ機１０２と、乗場スピーカ２１０Ａと、乗場表示装置３０１Ａと、乗場呼びボタン８０３と、カゴ室内行き先ボタン８０５と、カゴ室内表示装置３０１Ｂと、カゴ室内スピーカ２１０Ｂと、を備える。
【００４２】
メモリ８０２は、各階ごとに健常者用スイッチ２０５Ａ及び障害者用スイッチ２０５ＢのＯＮ／ＯＦＦの状態を格納する識別テーブル８０２Ａを備える。
【００４３】
乗場呼びボタン８０３及びカゴ室内行き先ボタン８０５は、それぞれ健常者用スイッチ２０５Ａ及び障害者用スイッチ２０５Ｂの組を備える。
【００４４】
図１０は、識別テーブル８０２Ａのデータ構成を示す図である。図１０に示すように、識別テーブル８０２Ａは、行き先階ごとに健常者用スイッチ２０５Ａ及び障害者用スイッチ２０５ＢのＯＮ／ＯＦＦの状態を格納する。
【００４５】
制御部１０７は、健常者用スイッチ２０５Ａ又は障害者用スイッチ２０５ＢがＯＮとなった場合、その階にカゴ室１０１を移動させるように巻き上げ機１０２を制御する。
【００４６】
制御部１０７は、障害者用スイッチ２０５ＢがＯＮとなった場合、健常者用スイッチ２０５ＡのＯＮ／ＯＦＦにかかわらず、障害者用の運行を行う。
【００４７】
障害者用の運行は、例えば（１）ドアが開いている時間を長くする、（２）ドアの開閉スピードを遅くする、（３）障害者用のアナウンスを乗場スピーカ２１０Ａ又はカゴ室内スピーカ２１０Ｂから流す、などの動作の中から少なくとも一つ選択される。なお、障害者用の運行はこれらに限られるものではない。
【００４８】
以上述べたように、本実施形態のエレベータ１００は、乗客を乗せるカゴ室１０１と、錘１０３と、カゴ室１０１及び錘１０３を吊りあげるロープ１０６と、ロープ１０６を巻き上げる巻き上げ機１０２と、カゴ室１０１が昇降する昇降路１１０と、乗場側ドア１０４と、乗場側ドア１０４の下方に設置されるステップ部１０５と、健常者用表示部２０１Ａ及び視覚障害者用表示部２０１Ｄを具備するボタントップ２０１Ｅ並びに健常者用表示部２０１Ａに対応する位置に設けられる健常者用スイッチ２０５Ａ並びに視覚障害者用表示部２０１Ｄに対応する位置に設けられる障害者用スイッチ２０５Ｂを具備する乗場呼びボタン２０１と、健常者用表示部２０１Ａ及び視覚障害者用表示部２０１Ｄを具備するボタントップ２０１Ｅ並びに健常者用表示部２０１Ａに対応する位置に設けられる健常者用スイッチ２０５Ａ並びに視覚障害者用表示部２０１Ｄに対応する位置に設けられる障害者用スイッチ２０５Ｂを具備するカゴ室内行き先ボタン２０１と、障害者用スイッチ２０５Ｂが押下されたと判定した場合障害者用の運行を行うように制御する制御部１０７と、を備える。
【００４９】
健常者用表示部２０１Ａ及び視覚障害者用表示部２０１Ｄを具備するボタントップ２０１Ｅは通常のボタントップに比べて押下する面の面積が大きくなる。
【００５０】
従って、障害者にとって使いやすく、利用者の中に障害者がいることを検知することにより障害者にとって利便性がある運用が可能となり、健常者にとっても使いやすいという効果がある。
【００５１】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１０１：カゴ室
１０２：巻き上げ機
１０４：乗場側ドア
１０５：ステップ部
１０７：制御部
２０１：乗場呼びボタン、カゴ室内行き先ボタン
【図１】
0005479442.tif 000002
【図２】
0005479442.tif 000003
【図３】
0005479442.tif 000004
【図４】
0005479442.tif 000005
【図５】
0005479442.tif 000006
【図６】
0005479442.tif 000007
【図７】
0005479442.tif 000008
【図８】
0005479442.tif 000009
【図９】
0005479442.tif 000010
【図１０】
0005479442.tif 000011